(57)【要約】【課題】小型で組付け作業性の優れた、温度センサが取付けられるホルダを備える冷却貯蔵庫を提供する。【解決手段】ショーケース（冷却貯蔵庫）１０は、貯蔵室１６と、貯蔵室１６の内気を冷却する冷却器３６が収容され、貯蔵室１６と内部が連通する冷却器室１８と、冷却器３６を覆う冷却器カバー（カバー）３８であって、貯蔵室１６の内気を冷却器室１８に導入するカバー吸込口（吸込口）４４が設けられている冷却器カバー（カバー）３８と、冷却器３６に取付けられる冷却器取付部７２、及び、貯蔵室１６の温度を検知する温度センサ６８を取り付ける温度センサ取付部７４を有するホルダ７０と、を備え、温度センサ取付部７４は、冷却器３６とカバー吸込口（吸込口）４４との間に位置している。【選択図】図６
2019158246.tif 000002
【特許請求の範囲】
【請求項１】
貯蔵室と、
前記貯蔵室の内気を冷却する冷却器が収容され、前記貯蔵室と内部が連通する冷却器室と、
前記冷却器を覆うカバーであって、前記貯蔵室の内気を前記冷却器室に導入する吸込口が設けられているカバーと、
前記冷却器に取付けられる冷却器取付部、及び、前記貯蔵室の温度を検知する温度センサを取り付ける温度センサ取付部を有するホルダと、を備え、
前記温度センサ取付部は、前記冷却器と前記吸込口との間に位置している冷却貯蔵庫。
【請求項２】
前記冷却器は、多数枚のフィンが並設されたフィン群と、前記フィン群を貫通しつつ蛇行状に配管された蒸発管と、を備えており、
前記冷却器取付部は、
前記温度センサ取付部から隣り合う前記フィンの間に突出する突出部と、
前記突出部の先端から前記温度センサ取付部側に向けて突出し、前記突出部を介して互いに対向する一対の保持部と、を備え、
前記一対の保持部は、前記フィンの間に配管された前記蒸発管に、前記一対の保持部の互いに対向する方向と反対の方向に弾性的にそれぞれ接触することで、前記冷却器取付部は、前記冷却器に取付けられる請求項１に記載の冷却貯蔵庫。
【請求項３】
前記保持部の先端には、前記蒸発管と面で接触可能なアール状をなす接触部が設けられている請求項２に記載の冷却貯蔵庫。
【請求項４】
前記ホルダは、前記冷却器取付部と、前記温度センサ取付部との間に設けられた板状の仕切部を備え、
前記温度センサ取付部は、前記温度センサを収容する構成をなし、
前記仕切部の肉厚は、少なくとも、前記温度センサ取付部の前記温度センサを取り囲む部分の肉厚よりも厚くなっている請求項１から請求項３のいずれか一項に記載の冷却貯蔵庫。
【請求項５】
前記仕切部は、前記温度センサ取付部よりも一方、及び、前記一方と逆の他方に突出している一対の凸部を備える請求項４に記載の冷却貯蔵庫。
【請求項６】
前記温度センサ取付部は、箱状をなしており、
前記温度センサ取付部の前記吸込口側の面には、第１の開口部が設けられ、
前記第１の開口部が設けられた面と交差する一の側面には、第２の開口部が開口して設けられている請求項１から請求項５のいずれか一項に記載の冷却貯蔵庫。
【請求項７】
前記温度センサ取付部の前記第２の開口部は、格子状に開口して設けられ、
前記温度センサ取付部の前記一の側面と対向する側面には、第３の開口部が開口して設けられており、
前記温度センサは、前記第３の開口部から挿通され、前記第２の開口部の格子部に当接可能とされる請求項６に記載の冷却貯蔵庫。
【発明の詳細な説明】
【技術分野】
【０００１】
本発明は、冷却貯蔵庫に関する。
【背景技術】
【０００２】
従来、冷却貯蔵庫として、下記特許文献１に記載のものが知られている。下記特許文献１のものでは、貯蔵室の温度を検知するための温度センサ（温度検知器）を備え、温度センサの検知温度に基づいて冷凍装置を駆動させることで貯蔵室の温度を制御する構成となっている。
【先行技術文献】
【特許文献】
【０００３】
【特許文献１】特開２００４−６９１８０号公報
【発明の概要】
【発明が解決しようとする課題】
【０００４】
ところで、上記のような温度センサを貯蔵室内に取り付ける方法ないし構成として、温度センサをホルダに収容し、ホルダを冷却器カバーに貯蔵室側から取付けるものが知られており、例えば、ホルダに爪を設け、冷却器カバーの格子に爪を嵌め込んで取付ける構造がある。このような場合、ホルダの組付け作業性が悪く、また、サービス時にホルダを取外し難いという問題がある。また、ホルダは冷却器カバーに爪で取付ける構造のため、部材が大きくなるという問題がある。
【０００５】
本発明は上記のような事情に基づいて完成されたものであって、小型で組付け作業性の優れた、温度センサが取付けられるホルダを備える冷却貯蔵庫を提供することを目的とする。
【課題を解決するための手段】
【０００６】
上記課題を解決するために、本発明の冷却貯蔵庫は、貯蔵室と、前記貯蔵室の内気を冷却する冷却器が収容され、前記貯蔵室と内部が連通する冷却器室と、前記冷却器を覆うカバーであって、前記貯蔵室の内気を前記冷却器室に導入する吸込口が設けられているカバーと、前記冷却器に取付けられる冷却器取付部、及び、前記貯蔵室の温度を検知する温度センサを取り付ける温度センサ取付部を有するホルダと、を備え、前記温度センサ取付部は、前記冷却器と前記吸込口との間に位置している。
【０００７】
ホルダの温度センサ取付部は、冷却器と吸込口との間に位置していることから、吸込口から導入された貯蔵室の内気が温度センサに当たるため、温度センサは、貯蔵室の内気の温度を好適に検知することができる。
また、ホルダは、冷却器取付部によって冷却器に直接取付けられることから、従来のように、ホルダを、カバーの格子に爪で取付ける構成と比較して、ホルダの小型化を図ることができる。また、小型化により原料が少なくなり、コストを抑えることができる。また、ホルダを、温度センサ取付部が冷却器と吸込口との間に位置するように正確に配することができ、温度センサの検知精度が向上する。また、冷却器及びホルダを、一体として組み上げることが可能となる。
また、ホルダはカバー内に配されているため、ユーザが温度センサに誤って接触することが抑えられる。
【０００８】
また、前記冷却器は、多数枚のフィンが並設されたフィン群と、前記フィン群を貫通しつつ蛇行状に配管された蒸発管と、を備えており、前記冷却器取付部は、前記温度センサ取付部から隣り合う前記フィンの間に突出する突出部と、前記突出部の先端から前記温度センサ取付部側に向けて突出し、前記突出部を介して互いに対向する一対の保持部と、を備え、前記一対の保持部は、前記フィンの間に配管された前記蒸発管に、前記一対の保持部の互いに対向する方向と反対の方向に弾性的にそれぞれ接触することで、前記冷却器取付部は、前記冷却器に取付けられる構成としても良い。
【０００９】
一対の保持部は、突出部の先端から温度センサ取付部側に向けて突出しているため、突出部を隣り合うフィンの間に挿入すると共に、一対の保持部を蒸発管の間に、圧入気味に押し込むことで、ホルダを冷却器に取付けることが可能となる。これにより、ホルダの冷却器への取付けが容易なものとなり、ホルダの組付け作業性が向上する。
【００１０】
また、前記保持部の先端には、前記蒸発管と面で接触可能なアール状をなす接触部が設けられている構成としても良い。
【００１１】
接触部が蒸発管と面で接触することで、ホルダを冷却器に確実に保持することができる。
【００１２】
前記ホルダは、前記冷却器取付部と、前記温度センサ取付部との間に設けられた板状の仕切部を備え、前記温度センサ取付部は、前記温度センサを収容する構成をなし、前記仕切部の肉厚は、少なくとも、前記温度センサ取付部の前記温度センサを取り囲む部分の肉厚よりも厚くなっている構成としても良い。
【００１３】
仕切部の肉厚を厚くすることで、冷却器の冷気が、仕切部を介して温度センサ取付部内の温度センサに伝わり、温度センサの検知精度が落ちることを抑制できる。
【００１４】
また、前記仕切部は、前記温度センサ取付部よりも一方、及び、前記一方と逆の他方に突出している一対の凸部を備える構成としても良い。
【００１５】
仕切部に、一対の凸部を備える構成としたことで、ホルダの温度センサ取付部を手で持って、ホルダを冷却器に押し込むことで、ホルダの冷却器取付部を冷却器に取り付ける際に、一対の凸部に指が当たるため、ホルダを冷却器に押し込み易くなる。
【００１６】
また、前記温度センサ取付部は、箱状をなしており、前記温度センサ取付部の前記吸込口側の面には、第１の開口部が設けられ、前記第１の開口部が設けられた面と交差する一の側面には、第２の開口部が開口して設けられている構成としても良い。
【００１７】
吸込口から冷却器室内に導入された貯蔵室の内気は、第１の開口部から温度センサ取付部内に通風され、温度センサに直接当たるため、温度センサの検知精度を向上させることができる。また、第１の開口部から温度センサ取付部内に通風された貯蔵室の内気は、第２の開口部から温度センサ取付部の外に通風されるため、温度センサ取付部内が結露することを抑制できる。
【００１８】
また、前記温度センサ取付部の前記第２の開口部は、格子状に開口して設けられ、前記温度センサ取付部の前記一の側面と対向する側面には、第３の開口部が開口して設けられており、前記温度センサは、前記第３の開口部から挿通され、前記第２の開口部の格子部に当接可能とされる構成としても良い。
【００１９】
温度センサを第３の開口部から挿通し、第２の開口部の格子部に当接するまで挿通することで温度センサの位置決めができるようになり、温度センサ取付部内における温度センサの位置が安定するようになる。
【発明の効果】
【００２０】
本発明によれば、小型で組付け作業性の優れた、温度センサが取付けられるホルダを備える冷却貯蔵庫を提供することができる。
【図面の簡単な説明】
【００２１】
【図１】本発明の一実施形態に係るショーケースを示す正面図
【図２】ショーケースを示す斜視図（スライド扉を取り外した状態）
【図３】ショーケースを示す斜視図（ダクト部材のダクト前壁部を省略した図）
【図４】ショーケース内の冷却器の配置を示す斜視図
【図５】冷却器室及び機械室の内部を示す側断面図
【図６】冷却器室の側断面図
【図７】ホルダが取付けられる前の状態における冷却器の側断面図
【図８】冷却器の斜視図（ホルダ周辺を拡大した図）
【図９】ホルダの斜視図
【図１０】ホルダの斜視図
【図１１】ホルダの側面図
【図１２】温度センサが取付けられた状態におけるホルダの斜視図
【図１３】温度センサが取付けられた状態におけるホルダについて、センサ収容部を切り欠いた状態の斜視図
【発明を実施するための形態】
【００２２】
本発明の一実施形態を図１から図１３によって説明する。本実施形態では、冷却貯蔵庫として、冷蔵用のショーケース１０を例示し、以降の説明では、ショーケース１０の上下方向、左右方向、及び、前後方向は、図１から図１３に示す矢指方向とする。
【００２３】
図１及び図２に示すように、ショーケース１０は、前側に開口された開口部１４を有する箱体１２を備える。箱体１２は、例えばステンレス鋼板からなる外箱及び内箱の間に、発泡樹脂からなる断熱材が発泡充填されることで構成されている。箱体１２は、図３に示すように、貯蔵室１６、冷却器室１８、及び機械室２０を構成するものとされる。貯蔵室１６は、箱体１２の内部空間の大部分を占める空間であり、開口部１４と連通されている。
【００２４】
開口部１４は、図１に示すように、左右方向に配列された一対のスライド扉２２によって覆われている。一対のスライド扉２２は、箱体１２に対してそれぞれが左右方向についてスライド移動可能に設けられている。これにより、スライド扉２２の各々をスライド移動させることで、開口部１４を開閉可能となっている。また、図２に示すように、貯蔵室１６内には、貯蔵物を載置することが可能な棚網２４が設けられている。機械室２０は、図３に示すように、冷却器室１８の下方に配されている。機械室２０内には、圧縮機２６、凝縮器２８等からなる冷凍装置３０と、電装箱３２等が設置されている。機械室２０は、図２に示すように、フロントパネル３４によって前側から覆われる構成となっている。
【００２５】
冷却器室１８は、貯蔵室１６と隣り合う形で配され、貯蔵室１６と内部が連通しており、具体的には、図３に示すように、箱体１２内において貯蔵室１６の下方（且つ機械室２０の上方）に配されている。冷却器室１８には、図５に示すように、冷却器３６及び冷却器ファン３７が収容されている。貯蔵室１６と冷却器室１８とは、冷却器３６を覆う冷却器カバー（カバー）３８によって仕切られている。
【００２６】
冷却器カバー３８は、図６に示すように、貯蔵室１６の底壁部を構成するカバー上壁部４０と、カバー上壁部４０の前端部から下方に延びるカバー前壁部４２と、を備える。カバー前壁部４２には、前後方向に貫通する複数のカバー吸込口（吸込口）４４が形成されている。カバー前壁部４２において、複数のカバー吸込口４４の形成箇所は格子状をなしている。カバー吸込口４４は、貯蔵室１６の内気を冷却器室１８に導入することが可能となっている。カバー上壁部４０の後端部には、上下方向に貫通する吹出口４８が形成されている。冷却器３６は、上記した冷凍装置３０と冷媒配管により循環接続されることで、周知の冷凍回路を構成する。
【００２７】
貯蔵室１６において、カバー前壁部４２の前方には、ダクト部材５０が配されている。ダクト部材５０は、図６に示すように、カバー上壁部４０の前方に連なる形で配されるダクト上壁部５２と、ダクト上壁部５２の前端部から下方に延びるダクト前壁部５６と、を備える。ダクト上壁部５２には、図２に示すように、上下方向に貫通するダクト吸込口５４が形成されている。ダクト吸込口５４は、前後方向に長い形状をなし、左右方向に沿って複数配列されている。ダクト前壁部５６は、図６に示すように、カバー前壁部４２に対して、前後方向に距離を空けて対向配置されている。また、ダクト上壁部５２の後端部には下方に延びる延設壁部５８が設けられている。延設壁部５８が、冷却器カバー３８のカバー前壁部４２に形成された溝部６０に嵌合されることで、冷却器カバー３８に対してダクト部材５０が固定されている。
【００２８】
冷却器３６は、多数枚の板状のフィン６２が並設されたフィン群６４と、フィン群６４を貫通しつつ蛇行状に配管された蒸発管６６と、を備えている。なお、図４、図８においては、便宜上、フィン６２は２枚のみ図示している。
【００２９】
圧縮機２６及び冷却器ファン３７が駆動すると、図６に示すように、貯蔵室１６内の内気が、ダクト前壁部５６、ダクト前壁部５６とカバー前壁部４２の間の空間Ｓ１（通気路）、カバー吸込口４４を経由して冷却器室１８内に吸引され（内気の流れを矢線Ｆ１で示す）、冷却器３６の蒸発管６６を通過する過程で熱交換により冷やされた後、吹出口４８から貯蔵室１６内に吹き出される（内気の流れを矢線Ｆ２で示す）。このような内気の流れが循環することで、貯蔵室１６の内気が冷却されるようになっている。
【００３０】
冷却器３６には、貯蔵室１６内の温度制御用の温度センサ６８が収容されたホルダ７０が取付けられている。このように、ホルダ７０は冷却器３６に取付けられるため、ホルダ７０を冷却器３６と一体に組み上げることができ、温度センサ６８の配線処理を容易に仕上げることが可能となる。ホルダ７０は、図９に示すように、冷却器取付部７２と、温度センサ取付部７４と、冷却器取付部７２と温度センサ取付部７４との間に設けられた方形板状の仕切部７６と、を備えている。温度センサ６８としては、例えばサーミスタを用いることができるが、これに限定されない。
【００３１】
温度センサ取付部７４は、図９、図１０に示すように、左右方向に長い箱状のセンサ収容部７８を備えている。センサ収容部７８の前面には、左右方向に長い方形状に開口する第１の開口部８０が設けられており、センサ収容部７８の左面には、第３の開口部８２が開口して設けられている。また、センサ収容部７８の右面には、第２の開口部８４が格子状に開口して設けられている。温度センサ６８は、第３の開口部８２からセンサ収容部７８内に挿通され、図１２、図１３に示すように、第２の開口部８４のホルダ格子部（格子部）８６に当接可能な状態で収容される。温度センサ６８をセンサ収容部７８内に挿通する際は、温度センサ６８がホルダ格子部８６に当接するまで挿通することで、温度センサ６８のセンサ収容部７８内での位置が定まる。
【００３２】
温度センサ６８の配線８８は、第３の開口部８２から左方に延び、機械室２０の電装箱３２内の制御部（図示せず）に接続されている。制御部は、温度センサ６８の検知温度に基づいて、冷凍装置３０を駆動することで、貯蔵室１６の温度が設定温度範囲内となるように制御する。
【００３３】
仕切部７６は、センサ収容部７８の後面と連なっており、図１１に示すように、温度センサ取付部７４及び冷却器取付部７２の肉厚よりも厚くなっている。仕切部７６の上部及び下部は、温度センサ取付部７４上面及び下面よりも上下方向に突出する凸部９０とされる。
【００３４】
温度センサ取付部７４には、図９、図１０に示すように、第３の開口部８２の上側開口縁から左方に突出する突出板９２が設けられている。突出板９２の前端は、温度センサ取付部７４の上壁の前端よりもやや後方に位置しており、突出板９２の前端と温度センサ取付部７４の上壁の前端とは、段差部９４をもって連なっている。突出板９２には、上面の左前端から上方に突出する突起９６が設けられている。
【００３５】
冷却器取付部７２は、温度センサ取付部７４側から後方（即ち、冷却器３６側）に突出する突出部９８と、突出部９８の先端から温度センサ取付部７４側に向けて突出する、上下一対の保持部１００と、を備えている。
【００３６】
一対の保持部１００は、突出部９８を介して、上下方向に互いに対向しており、突出部９８の先端から温度センサ取付部７４側に向けて片持ち状に突出する一対の撓み部１０２と、一対の撓み部１０２の先端にそれぞれ設けられ、アール状をなす一対の接触部１０４と、を備えている。一対の接触部１０４は、図１１に示すように、一対の撓み部１０２の先端から、互いに対向する方向に一旦傾斜し、さらに互いに対向する方向と反対の方向に湾曲しながら突出して形成されており、一対の撓み部１０２と一対の接触部１０４との間には、一対の土手部１０６が形成されている。一対の土手部１０６間の長さＬ１は、図７に示すように、冷却器３６の蒸発管６６の間の長さＬ２よりも長く設定されている。
【００３７】
ホルダ７０を冷却器３６に取付ける手順を図６から図８を用いて説明する。ホルダ７０を冷却器３６に取り付ける際は、カバー前壁部４２を含む冷却器カバー３８が備わっていない状態で行うものとされる。
先ず、温度センサ取付部７４のセンサ収容部７８の上面と下面を指でつまみ、ホルダ７０の突出部９８を、左右方向に隣り合うフィン６２の間に挿通する。
次に、突出部９８を上下の蒸発管６６の間に押し込む。すると、一対の撓み部１０２の土手部１０６が蒸発管６６と摺動しながら、一対の撓み部１０２は、互いに対向する方向に弾性変位する。この時、センサ収容部７８をつまんでいる指が、仕切部７６の凸部９０の前面に当たるため、ホルダ７０を押し込み易くなっている。
さらに突出部９８を後方に押し込むと、一対の撓み部１０２は、互いに対向する方向と逆方向に変位し、一対の接触部１０４が上下の蒸発管６６と面で弾性的に接触する。これにより、ホルダ７０は、冷却器３６に取付けられる。
このように、一対の接触部１０４は、蒸発管６６と面で接触し、蒸発管６６にフィットしているため、ホルダ７０は、蒸発管６６に安定して取付けられている。また、ホルダ７０の突出部９８を冷却器３６の蒸発管６６の間に押し込んで取付ける際、一対の撓み部１０２が弾性変形するため、ホルダ７０の冷却器３６への取付けが容易なものとなる。
次に、図８に示すように、結束バンド１０８により、突出板９２及び温度センサ６８の配線８８を締結し、温度センサ６８がセンサ収容部７８から抜け落ちないようにする。この時、結束バンド１０８は、突起９６の右端と、仕切部７６の凸部９０の左端及び段差部９４との間を通るように取付けられる。これにより、ホルダ７０が右方に変位しようとしても、結束バンド１０８が仕切部７６の凸部９０及び段差部９４に当たるため、ホルダ７０の右方への変位が阻止される。また、ホルダ７０が左方に変位しようとしても、結束バンド１０８が突起９６に当たるため、ホルダ７０の左方への変位が阻止される。これにより、結束バンド１０８がホルダ７０から抜け落ちることが抑制される。
【００３８】
ホルダ７０が冷却器３６に取付けられた状態では、図６に示すように、温度センサ取付部７４は、突出部９８によって前方にオフセットされており、冷却器３６とカバー吸込口４４との間の略中央に位置している。このように、温度センサ取付部７４は冷却器３６と接触しない位置に配されており、さらに、温度センサ取付部７４のセンサ収容部７８の後面側に仕切部７６が設けられていることから、温度センサ６８は、冷却器３６の冷気の影響を受けにくくなっている。また、温度センサ取付部７４は、カバー吸込口４４の後方に位置していることから、ユーザが温度センサ６８に触れることが抑制される。
【００３９】
カバー吸込口４４から冷却器室１８内に貯蔵室１６の内気が取込まれると、センサ収容部７８の第１の開口部８０からセンサ収容部７８内に通風され、貯蔵室１６の内気が温度センサ６８に当たり、温度センサ６８は、貯蔵室１６内の温度を検知することができる。さらに、センサ収容部７８の第１の開口部８０から通風された貯蔵室１６の内気は、第２の開口部８４及び第３の開口部８２側に流れてセンサ収容部７８の外に通風される。これにより、センサ収容部７８内が結露することが抑制される。
【００４０】
本実施形態によれば、以下の作用、効果を奏する。
本実施形態のショーケース（冷却貯蔵庫）１０は、貯蔵室１６と、貯蔵室１６の内気を冷却する冷却器３６が収容され、貯蔵室１６と内部が連通する冷却器室１８と、冷却器３６を覆う冷却器カバー（カバー）３８であって、貯蔵室１６の内気を冷却器室１８に導入するカバー吸込口（吸込口）４４が設けられている冷却器カバー（カバー）３８と、冷却器３６に取付けられる冷却器取付部７２、及び、貯蔵室１６の温度を検知する温度センサ６８を取り付ける温度センサ取付部７４を有するホルダ７０と、を備え、温度センサ取付部７４は、冷却器３６とカバー吸込口（吸込口）４４との間に位置している。
【００４１】
本実施形態によれば、ホルダ７０の温度センサ取付部７４は、冷却器３６とカバー吸込口（吸込口）４４との間に位置していることから、カバー吸込口（吸込口）４４から導入された貯蔵室１６の内気が温度センサ６８に当たるため、温度センサ６８は、貯蔵室１６の内気の温度を好適に検知することができる。
また、ホルダ７０は、冷却器取付部７２によって冷却器３６に直接取付けられることから、従来のように、ホルダを、冷却器カバー（カバー）３８の格子に爪で取付ける構成と比較して、ホルダ７０の小型化を図ることができる。また、小型化により原料が少なくなり、コストを抑えることができる。また、ホルダ７０を、温度センサ取付部７４が冷却器３６とカバー吸込口（吸込口）４４との間に位置するように正確に配することができ、温度センサ６８の検知精度が向上する。また、冷却器３６及びホルダ７０を、一体として組み上げることが可能となる。
また、ホルダ７０は冷却器カバー（カバー）３８内に配されているため、ユーザが温度センサ６８に誤って接触することが抑えられる。
【００４２】
また、冷却器３６は、多数枚のフィン６２が並設されたフィン群６４と、フィン群６４を貫通しつつ蛇行状に配管された蒸発管６６と、を備えており、冷却器取付部７２は、温度センサ取付部７４から隣り合うフィン６２の間に突出する突出部９８と、突出部９８の先端から温度センサ取付部７４側に向けて突出し、突出部９８を介して互いに対向する一対の保持部１００と、を備え、一対の保持部１００は、フィン６２の間に配管された蒸発管６６に、一対の保持部１００の互いに対向する方向と反対の方向に弾性的にそれぞれ接触することで、冷却器取付部７２は、冷却器３６に取付けられる構成としても良い。
【００４３】
一対の保持部１００は、突出部９８の先端から温度センサ取付部７４側に向けて突出しているため、突出部９８を隣り合うフィン６２の間に挿入すると共に、一対の保持部１００を蒸発管６６の間に、圧入気味に押し込むことで、ホルダ７０を冷却器３６に取付けることが可能となる。これにより、ホルダ７０の冷却器３６への取付けが容易なものとなり、ホルダ７０の組付け作業性が向上する。
【００４４】
また、保持部１００の先端には、蒸発管６６と面で接触可能なアール状をなす接触部１０４が設けられている構成としても良い。
【００４５】
接触部１０４が蒸発管６６と面で接触することで、ホルダ７０を冷却器３６に確実に保持することができる。
【００４６】
また、ホルダ７０は、冷却器取付部７２と、温度センサ取付部７４との間に設けられた板状の仕切部７６を備え、温度センサ取付部７４は、温度センサ６８を収容する構成をなし、仕切部７６の肉厚は、少なくとも、温度センサ取付部７４の温度センサ６８を取り囲む部分の肉厚よりも厚くなっている構成としても良い。
【００４７】
仕切部７６の肉厚を厚くすることで、冷却器３６の冷気が、仕切部７６を介して温度センサ取付部７４内の温度センサ６８に伝わり、温度センサ６８の検知精度が落ちることを抑制できる。
【００４８】
また、仕切部７６は、温度センサ取付部７４よりも一方、及び、一方と逆の他方に突出している構成としても良い。
【００４９】
仕切部７６に、一対の凸部９０を備える構成としたことで、ホルダ７０の温度センサ取付部７４を手で持って、ホルダ７０を冷却器３６に押し込むことで、ホルダ７０の冷却器取付部７２を冷却器３６に取り付ける際に、一対の凸部９０に指が当たるため、ホルダ７０を冷却器３６に押し込み易くなる。
【００５０】
また、温度センサ取付部７４は、箱状をなしており、温度センサ取付部７４のカバー吸込口（吸込口）４４側の面には、第１の開口部８０が設けられ、第１の開口部８０が設けられた面と交差する一の側面には、第２の開口部８４が開口して設けられている構成としても良い。
【００５１】
カバー吸込口（吸込口）４４から冷却器室１８内に導入された貯蔵室１６の内気は、第１の開口部８０から温度センサ取付部７４内に通風され、温度センサ６８に直接当たるため、温度センサ６８の検知精度を向上させることができる。また、第１の開口部８０から温度センサ取付部７４内に通風された貯蔵室１６の内気は、第２の開口部８４から温度センサ取付部７４の外に通風されるため、温度センサ取付部７４内が結露することを抑制できる。
【００５２】
また、温度センサ取付部７４の第２の開口部８４は、格子状に開口して設けられ、温度センサ取付部７４の一の側面と対向する側面には、第３の開口部８２が開口して設けられており、温度センサ６８は、第３の開口部８２から挿通され、第２の開口部８４のホルダ格子部（格子部）８６に当接可能とされる構成としても良い。
【００５３】
温度センサ６８を第３の開口部８２から挿通し、第２の開口部８４のホルダ格子部（格子部）８６に当接するまで挿通することで温度センサ６８の位置決めができるようになり、温度センサ取付部７４内における温度センサ６８の位置が安定するようになる。
【００５４】
＜他の実施形態＞
本発明は上記記述及び図面によって説明した実施形態に限定されるものではなく、例えば次のような実施形態も本発明の技術的範囲に含まれる。
（１）上記実施形態では、冷却貯蔵庫として、冷蔵用のショーケース１０を例示したが、これに限定されない。例えば、ショーケース１０以外の冷却貯蔵庫であってもよい。また、冷蔵機能に加えて、加熱や温蔵などの機能を備えていてもよい。
（２）上記実施形態では、貯蔵室１６の下方に冷却器室１８が配される構成を例示したが、これに限定されない。例えば、貯蔵室１６と冷却器室１８が水平方向に沿って並んでいる構成であってもよい。
（３）上記実施形態では、冷却器室１８は、貯蔵室１６内の下方に配される構成としたが、これに限定されない。例えば、冷却器室１８は、貯蔵室１６内の上方に配される構成であっても良い。
【符号の説明】
【００５５】
１０…ショーケース（冷却貯蔵庫）
１６…貯蔵室
１８…冷却器室
３６…冷却器
３８…冷却器カバー（カバー）
４４…カバー吸込口（吸込口）
６２…フィン
６４…フィン群
６６…蒸発管
６８…温度センサ
７０…ホルダ
７２…冷却器取付部
７４…温度センサ取付部
７６…仕切部
８０…第１の開口部
８２…第３の開口部
８４…第２の開口部
８６…ホルダ格子部（格子部）
９０…凸部
９８…突出部
１００…保持部
１０４…接触部
【図１】
2019158246.tif 000003
【図２】
2019158246.tif 000004
【図３】
2019158246.tif 000005
【図４】
2019158246.tif 000006
【図５】
2019158246.tif 000007
【図６】
2019158246.tif 000008
【図７】
2019158246.tif 000009
【図８】
2019158246.tif 000010
【図９】
2019158246.tif 000011
【図１０】
2019158246.tif 000012
【図１１】
2019158246.tif 000013
【図１２】
2019158246.tif 000014
【図１３】
2019158246.tif 000015